(57)【特許請求の範囲】
【請求項１】
一方及び他方のクランプ素子と、これらを一体に結合する締付つなぎ手段とより成り、
上記一方のクランプ素子が、挟持すべきパイプの外周の略半周に亘り合致するよう弧状に湾曲せしめた、外周面に突出物を有しない一方の湾曲クランプ部分と、この湾曲クランプ部分に連なる一方の板状クランプ部分と、この一方の板状クランプ部分に設けたねじ孔とボルト孔の何れか一方及び上記一方の板状クランプ部分の遊端のパイプ挟持面側に設けた凸部とより成り、
上記他方のクランプ素子が、上記一方の弧状湾曲クランプ部分と略同一形状の他方の湾曲クランプ部分と、この他方の湾曲クランプ部分に連なる、他方の板状クランプ部分と、この他方の板状クランプ部分に設けたねじ孔とボルト孔の何れか他方及び上記一方の板状クランプ部分の遊端部に対向する位置となる上記他方の板状クランプ部分に突設せしめた支点部と
より成ることを特徴とする仮設建築物用パイプクランプ。
【発明の詳細な説明】
【技術分野】
【０００１】
本発明は仮設建築物用パイプクランプ、特に、パイプを掴んでパイプ同志を固定したりＨ鋼等の構造物に固定するために用いる仮設建築物用パイプクランプに関するものである。
【背景技術】
【０００２】
従来、建築足場用パイプクランプとしては特許文献１に示されたものがある。
【特許文献１】特開２００６−１７７０４８
【発明の開示】
【発明が解決しようとする課題】
【０００３】
一般に、仮設建築物用として用いる複数の互いに交叉する方向のパイプ類を接続するためのパイプクランプは、仮設用であるため永久的な使用は必要とせず、簡単に取り付け、取り外しができるものであると共に構造が簡単で廉価であることが必要とされる。
【０００４】
然しながら上記従来のパイプクランプにおいてはその構造が複雑で高価であると共に、パイプを挟持するパイプ素子の外周面に突起があるため、種々の作業、例えば外装シートを張設する、等の作業の場合、上記突起がシート張設のじゃまになると共に、シートを破損するおそれがあった。また、パイプに対するパイプクランプの取り付け角度が限定されるよになる。
【０００５】
本発明の仮設建築物用パイプクランプは上記の欠点を除くようにしたものである。
【課題を解決するための手段】
【０００６】
本発明の仮設建築物用パイプクランプは、一方及び他方のクランプ素子と、これらを一体に結合する締付つなぎ手段とより成り、上記一方のクランプ素子が、挟持すべきパイプの外周の略半周に亘り合致するよう弧状に湾曲せしめた、外周面に突出物を有しない一方の湾曲クランプ部分と、この湾曲クランプ部分に連なる一方の板状クランプ部分と、この一方の板状クランプ部分に設けたねじ孔とボルト孔の何れか一方及び上記一方の板状クランプ部分の遊端のパイプ挟持面側に設けた凸部とより成り、上記他方のクランプ素子が、上記一方の弧状湾曲クランプ部分と略同一形状の他方の湾曲クランプ部分と、この他方の湾曲クランプ部分に連なる、他方の板状クランプ部分と、この他方の板状クランプ部分に設けたねじ孔とボルト孔の何れか他方及び上記一方の板状クランプ部分の遊端部に対向する位置となる上記他方の板状クランプ部分に突設せしめた支点部とより成ることを特徴とする。
【発明の効果】
【０００７】
本発明の仮設建築物用パイプクランプは構造が簡単で廉価であると共に、パイプ素子の外周面に突起物がないためシート張設等に何等の支障も生じないとともに、パイプクランプをパイプに任意の角度で固定できるようになるという大きな効果がある。
【発明を実施するための最良の形態】
【０００８】
以下図面によって本発明の実施例を説明する。
【実施例１】
【０００９】
本発明の仮設建築物用パイプクランプ１６は、図１に示すように一方及び他方のクランプ素子７、１４と、これらを一体に結合するためのボルト１０等を有する締付つなぎ手段１５とにより構成する。
【００１０】
上記一方のクランプ素子７は図２に示すように挟持すべき仮設建築物用のパイプ１の外周の略半周、例えば略１５０°に亘り、上記パイプ１の外周面に合致する内周面２を有するよう弧状に湾曲せしめた、外周面３に突出物を有しない所定の幅の一方の板状湾曲クランプ部分４と、この一方の湾曲クランプ部分４に一体に連なる一方の板状クランプ部分５と、この一方の板状クランプ部分５に設けたねじ孔６と、上記一方の板状クランプ部分５の遊端のパイプ狭持面側に設けた凸部とにより構成する。
【００１１】
上記他方のクランプ素子１４は、図３に示すように上記一方の弧状湾曲クランプ部分４と略同一形状の他方の弧状湾曲クランプ部分８と、この他方の湾曲クランプ部分８に一体に連なる、上記一方の板状クランプ部分５より十分に長い他方の板状クランプ部分９と、上記一方の板状クランプ部分５のねじ孔６に対向する位置で、上記他方の板状クランプ部分９に設けたボルト孔１１及び上記他方の板状クランプ部分９の遊端部分に設けた、ブラケットクランプ等に取付ける取付部となる孔１２並びに、上記一方の板状クランプ部分５の遊端部分に対向する位置で上記他方の板状クランプ部分９に突設せしめた支点部１３とにより構成する。
【００１２】
本発明の仮設建築物用パイプクランプ１６は、上記のような構成であるからその使用に際しては、図４に示すように一方及び他方のクランプ素子７と１４の湾曲クランプ部４と８によりパイプ１を挟持し、ボルト１０をねじ孔６にボルト孔１１を介して螺合してパイプ１にパイプクランプ１６を固定せしめ、このパイプクランプ１６を固定構造物等に取付用の孔１２を介して固定する。これによればパイプクランプ１６をパイプ１に対し任意の角度で固定できるようになる。
【００１３】
例えば図５に示すようにパイプ１に固定したパイプクランプ１６を上記パイプ１に交叉して配向したパイプ１ａに固定したプラケットクランプ１７に固定せしめることができる。
【００１４】
パイプ１を釈放する場合にはボルト１０をねじ孔６から緩め、支点部１３を支点として他方のクランプ素子１４を一方のクランプ素子７に相対的に傾動せしめれば、上記一方及び他方の湾曲クランプ部分４と８間に図４に示すように大きな隙間１８が形成され、パイプクランプ１６からパイプ１を容易に離脱できるようになる。
【図面の簡単な説明】
【００１５】
【図１】本発明の仮設建築物用パイプクランプの組立図である。
【図２】図１に示す仮設建築物用パイプクランプにおける一方のクランプ素子の斜視図である。
【図３】図１に示す仮設建築物用パイプクランプの他方のクランプ素子の斜視図である。
【図４】図１に示す仮設建築物用パイプクランプの使用状態説明図である。
【図５】図１に示す仮設建築物用パイプクランプの使用状態説明図である。
【符号の説明】
【００１６】
１    パイプ
１ａ  パイプ
２    内周面
３    外周面
４    板状湾曲クランプ部分
５    板状クランプ部分
６    ねじ孔
７    クランプ素子
８    板状湾曲クランプ部分
９    板状クランプ部分
１０    ボルト
１１    ボルト孔
１２    孔
１３    支点部
１４    クランプ素子
１５    締付つなぎ手段
１６    パイプクランプ
１７    プラケットクランプ
１８    隙間
【図１】
0004699440.tif 000002
【図２】
0004699440.tif 000003
【図３】
0004699440.tif 000004
【図４】
0004699440.tif 000005
【図５】
0004699440.tif 000006